(57)【要約】複素誘電スペクトルに基づく、細胞判別方法等を提供する。  細胞の複素誘電スペクトルから得られる緩和強度、緩和周波数及び低周波コンダクタンス、のいずれか一つに基づいて、前記細胞を１個単位で分類する分類部、を有する細胞判別装置を提供する。この細胞判別装置によれば、複数の細胞の各々について、複素誘電スペクトルの特徴量から物性値を算出し、この物性値に基づいて、複数の細胞を２群以上に分類することが可能となる。
2014038298.tif 000002
【特許請求の範囲】
【請求項１】
細胞の複素誘電スペクトルから得られる緩和強度、緩和周波数及び低周波コンダクタンス、のいずれか一つに基づいて、前記細胞を１個単位で分類する分類部、を有する
細胞判別装置。
【請求項２】
前記分類部は、前記緩和強度、前記緩和周波数及び前記低周波コンダクタンスのうち、いずれか一以上に基づき、前記細胞の細胞直径、膜キャパシタンス、細胞質電気伝導度のうち、何れか一以上を算出する
請求項１記載の細胞判別装置。
【請求項３】
前記細胞直径は、前記低周波コンダクタンスに基づき算出される
請求項２記載の細胞判別装置。
【請求項４】
前記膜キャパシタンスは、前記緩和強度及び前記低周波コンダクタンスに基づき算出される
請求項２記載の細胞判別装置。
【請求項５】
前記細胞質電気伝導度は、前記緩和強度、前記緩和周波数及び前記低周波コンダクタンスに基づき算出される
請求項２記載の細胞判別装置。
【請求項６】
前記細胞に、少なくとも白血球が含まれる
請求項２記載の細胞判別装置。
【請求項７】
前記細胞に、少なくとも心筋細胞が含まれる
請求項２記載の細胞判別装置。
【請求項８】
前記細胞に、少なくとも循環腫瘍細胞が含まれる
請求項２記載の細胞判別装置。
【請求項９】
前記複素誘電スペクトルを測定する測定部を有する
請求項１記載の細胞判別装置。
【請求項１０】
前記分類部が出力する信号に基づき、前記細胞を２群以上に分ける分取部を有する
請求項９記載の細胞判別装置。
【請求項１１】
請求項１記載の細胞判別装置と、
前記複素誘電スペクトルを測定する測定部を有する細胞分析装置と、を備える
細胞判別システム。
【請求項１２】
前記細胞分析装置は、前記分類部が出力する信号に基づき、前記細胞を２群以上に分ける分取部を有する
請求項１１記載の細胞判別システム。
【請求項１３】
分類部が、細胞の複素誘電スペクトルから得られる緩和強度、緩和周波数及び低周波コンダクタンス、のいずれか一つに基づいて、前記細胞を分類する手順を有する
細胞判別方法。
【請求項１４】
細胞の複素誘電スペクトルから得られる緩和強度、緩和周波数及び低周波コンダクタンス、のいずれか一つに基づいて、前記細胞を分類する機能を分類部に実行させる
細胞判別用プログラム。
【発明の詳細な説明】
【技術分野】
【０００１】
本技術は、細胞判別装置、細胞判別システム、細胞判別方法及び細胞判別用プログラムに関する。より詳しくは、複素誘電スペクトルの特徴量に基づく細胞判別方法等に関する。
【背景技術】
【０００２】
一般に細胞は、その種類や状態などに応じて、導電率、誘電率及び透電率等の電気的特性を示す物性値が異なることが知られている。また、周波数を掃引して細胞の誘電率を測定すると、細胞の形態に応じて誘電緩和特性が変化することが知られている。そこで、このような細胞の特性を用いて、細胞を分析する装置などが開示されている。【０００３】
例えば特許文献１には、「１又は複数の血球細胞を含む懸濁液の複素誘電率スペクトルを測定する測定部と、該測定部で測定された複素誘電率スペクトルに基づいて、前記懸濁液の誘電変数及び／又は電気的物性値を算出し、その値から薬剤投与に伴う血球細胞の状態変化を検出する検出部と、を有する血球細胞分析装置」が開示されている。【０００４】
この血球細胞分析装置では、血球細胞を含む懸濁液の複素誘電率スペクトルを求め、その複素誘電率スペクトルから算出された誘電変数や電気的物性値から血球細胞の状態変化を検出することができる。
【先行技術文献】
【特許文献】
【０００５】
【特許文献１】特開２０１１−１１２４９７号公報
【発明の概要】
【発明が解決しようとする課題】
【０００６】
上記の特許文献１に記載の血球細胞分析装置においては、複素誘電率スペクトルからの誘電変数や電気的物性値の算出には、血球細胞の構造に合わせて適宜数式が選択される。しかし、細胞の種類によって数式を選択することは分析を煩雑にするため、細胞の電気特性を求めるための単純なモデル式が求められてきた。そこで、本技術は、複素誘電スペクトルに基づく細胞判別方法等を提供することを主な目的とする。
【課題を解決するための手段】
【０００７】
本発明者は、核を有する「有核細胞」や、「非球形細胞」などの複雑な構造を有する細胞についても、単純なモデル式に当てはめて得られる物性値によって細胞の分類が可能であることを見出し、本技術に係る細胞判別方法等を完成させた。【０００８】
即ち、本技術は、細胞の複素誘電スペクトルから得られる緩和強度、緩和周波数及び低周波コンダクタンス、のいずれか一つに基づいて、前記細胞を１個単位で分類する分類部、を有する細胞判別装置を提供する。
前記分類部は、前記緩和強度、前記緩和周波数及び前記低周波コンダクタンスのうち、いずれか一以上に基づき、前記細胞の細胞直径、膜キャパシタンス、細胞質電気伝導度のうち、何れか一以上を算出してもよい。
また、前記細胞直径は、前記低周波コンダクタンスに基づき算出されてもよく、前記膜キャパシタンスは、前記緩和強度及び前記低周波コンダクタンスに基づき算出されてもよく、前記細胞質電気伝導度は、前記緩和強度、前記緩和周波数及び前記低周波コンダクタンスに基づき算出されてもよい。
前記細胞に、少なくとも白血球が含まれていてもよく、少なくとも心筋細胞が含まれていてもよく、少なくとも循環腫瘍細胞が含まれていてもよい。
前記細胞判別装置は、前記複素誘電スペクトルを測定する測定部を有していてもよく、前記分類部が出力する信号に基づき、前記細胞を２群以上に分ける分取部を有していてもよい。
本技術はまた、前記細胞判別装置と、前記複素誘電スペクトルを測定する測定部を有する細胞分析装置と、を備える細胞判別システムをも提供する。
前記細胞分析装置は、前記分類部が出力する信号に基づき、前記細胞を２群以上に分ける分取部を有していてもよい。【０００９】
本技術はさらに、分類部が、細胞の複素誘電スペクトルから得られる緩和強度、緩和周波数及び低周波コンダクタンス、のいずれか一つに基づいて、前記細胞を分類する手順を有する細胞判別方法をも提供する。【００１０】
本技術はまた、細胞の複素誘電スペクトルから得られる緩和強度、緩和周波数及び低周波コンダクタンス、のいずれか一つに基づいて、前記細胞を分類する機能を分類部に実行させる細胞判別用プログラムをも提供する。
【発明の効果】
【００１１】
本技術により、複素誘電スペクトルに基づく物性値によって細胞を分類する細胞判別方法等が提供される。
【図面の簡単な説明】
【００１２】
【図１】本技術の第１実施形態に係る細胞判別装置の構成を示すブロック図である。
【図２】第１実施形態に係る細胞判別装置に設けられた流路の構成を模式的に示す図である。
【図３】第１実施形態に係る細胞判別装置に設けられた分取部の構成を模式的に示す図である。
【図４】本技術に係る細胞判別装置の動作を示すフローチャートである。
【図５】細胞の複素誘電スペクトルから得られる緩和強度、緩和周波数及び低周波コンダクタンスを模式的に示す図面代用グラフである。
【図６】判定部における細胞の分類手順を示すフローチャートである。
【図７】判定部における細胞の分類手順を示すフローチャートである。
【図８】本技術の第２実施形態に係る細胞判別装置の構成を示すブロック図である。
【図９】本技術に係る細胞判別システムの構成を示すブロック図である。
【図１０】Ａ及びＢは、細胞直径と膜キャパシタンスに基づく白血球の分布を示す図面代用グラフである。
【図１１】Ａ及びＢは、細胞直径と膜キャパシタンスに基づく白血球の分布を示す図面代用グラフである。
【図１２】Ａ及びＢは、細胞直径と膜キャパシタンスに基づく白血球の分布を示す図面代用グラフである。
【図１３】Ａ及びＢは、２種類の物性値に基づく白血球の分布を示す図面代用グラフである。
【図１４】２種類の物性値に基づく白血球の分布を示す図面代用グラフである。
【図１５】２種類の物性値に基づく白血球の分布を示す図面代用グラフである。
【図１６】２種類の物性値に基づく白血球の分布を示す図面代用グラフである。
【図１７】細胞直径と膜キャパシタンスに基づく白血球の分布を示す図面代用グラフである。
【図１８】Ａ及びＢは、細胞直径と膜キャパシタンスに基づく、心筋細胞を含む細胞の分布を示す図面代用グラフである。
【図１９】Ａ及びＢは、細胞直径と緩和周波数に基づく、正常血液検体に含まれる細胞と、大腸癌由来のＨ２９細胞及びＲＫＯ細胞の分布を示す図面代用グラフである。
【図２０】図１９Ａ及び図１９Ｂに示す細胞の分布を重ね、一部を拡大した図面代用グラフである。
【図２１】細胞直径と細胞質電気伝導度に基づく、正常血液検体と、Ｈ２９細胞及びＲＫＯ細胞の分布を示す図面代用グラフである。
【図２２】細胞直径と緩和周波数に基づく、正常血液検体に含まれる細胞と腫瘍細胞混合血液検体に含まれる細胞の分布を示す図面代用グラフである。
【発明を実施するための形態】
【００１３】
以下、本技術を実施するための好適な形態について説明する。なお、以下に説明する実施形態は、本技術の代表的な実施形態を示したものであり、これにより本技術の範囲が狭く解釈されることはない。説明は以下の順序で行う。
１．本技術の第１実施形態に係る細胞判別装置
（１）前処理部
（２）測定部
（３）検出部
（４）解析部
（５）分取部
２．本技術に係る細胞判別装置の動作
（１）細胞懸濁液の調製手順
（２）複素抵抗の測定手順
（３）細胞由来のシグナルの検出手順
（４）物性値の算出手順
（５）細胞の分類手順
（６）細胞の分取手順
３．本技術の第２実施形態に係る細胞判別装置
４．本技術に係る細胞判別システム
５．細胞判別装置によって分類される細胞の具体例
（１）白血球
（２）心筋細胞
（３）循環腫瘍細胞
６．本技術に係る細胞判別方法及び細胞判別用プログラム
【００１４】
１．本技術の第１実施形態に係る細胞判別装置
図１は、本技術に係る細胞判別装置のブロック図である。図中、符号Ａ１で示す細胞判別装置は、大別すると、前処理部１、測定部２、検出部３、解析部４１及び分取部５から構成されている。細胞判別装置Ａ１の各構成について、順に説明する。なお、図１において、矢印は、細胞を含む液体（細胞懸濁液）の送流方向を示す。
【００１５】
（１）前処理部
前処理部１は、試料を処理して、後述する測定部２での複素抵抗の測定に適した状態の細胞懸濁液に調製するための構成である。例えば、測定対象が白血球の場合には、全血に含まれる赤血球や血小板等を除去するための、溶血剤処理や密度勾配遠心に必要な構成が前処理部１に含まれる。この構成には、例えば、試料の温度調節機構、遠心分離機、濾過用のフィルターなどが含まれ得る。なお、本技術に係る細胞判別装置Ａ１において、前処理部１は必須の構成ではなく、細胞判別装置Ａ１における細胞の測定には、ユーザが予め処理した試料を用いることもできる。
【００１６】
（２）測定部
測定部２は、細胞判別装置Ａ１の測定対象である細胞の複素抵抗を測定するための構成である。測定部２には、細胞懸濁液が通流可能な流路と、この流路に配設される一対の電極と、流路に備えられた電極間のインピーダンスを複数周波数で測定するインピーダンスアナライザーなどが含まれる。また、流路には細胞が一個ずつ通過可能な狭窄部が設けられていることが好ましい。
【００１７】
図２は、本実施形態の測定部２に設けられた流路の構成例を示す断面図である。図中の矢印は細胞懸濁液の送流方向を示す。測定部２に設けられた流路２１は、厚さ方向の通流位置が相互に異なる２本の流路層２３ａ，２３ｂを、狭窄部２６を介して連通する構成とすることができる。具体的には、ポリイミドなどからなる２つのカバー層２２，２２と、一対の電極２５ａ，２５ｂと、狭窄部２６を備えた中間層２４と、流路２１が形成された２つの流路層２３ａ，２３ｂと、が積層されている。
【００１８】
中間層２４における電極対（電極２５ａ，２５ｂ）は、狭窄部２６を挟む位置で両面設けられている。細胞懸濁液が通流する２つの流路層２３ａ，２３ｂの流路部分（流路２１）は、中間層２４に形成された狭窄部２６を介して連通している。この狭窄部２６は、細胞懸濁液に含まれる細胞が、１個ずつ通過する大きさである。一例としては、対象とする細胞の平均直径の２〜３倍程度に設定する事が測定感度、送液安定性の面で適当である。狭窄部２６の長さＬは、例えば、細胞懸濁液に心筋細胞又は循環腫瘍細胞が含まれる場合には、２０〜３５μｍが好ましく、白血球が含まれる場合には、１３〜２０μｍが好ましい。
【００１９】
測定部２は、流路２１へ細胞懸濁液を安定的に送液する送液部（図１、２において送液部は不図示。）と接続されていてもよい。送液部には、細胞懸濁液を流路２１へ送る送液ポンプや細胞懸濁液を収容できる容器などが備えられている。送液部は、前記のインピーダンスアナライザーのサンプリング間隔の２倍以上の時間、流路２１の狭窄部２６に細胞が存在するような流量で、細胞懸濁液を流路デバイスに安定的に送液する。このような速度で流路内の細胞を移動させることにより、流量による測定結果への影響を無視できるようになる。
【００２０】
（３）検出部
検出部３は、前述の測定部２から出力された信号のうち、細胞に由来する信号を検出するための構成である。検出部３は、ＣＰＵ、メモリ及びハードディスクなどを備える汎用のコンピュータによって構成でき、ハードディスク内にはＯＳと測定部２によって出力された測定データを処理するコンピュータプログラム等が格納されている。また、検出部３を、ＦＰＧＡ（Ｆｉｅｌｄ−Ｐｒｏｇｒａｍｍａｂｌｅ  Ｇａｔｅ  Ａｒｒａｙ）等のハードウェアによって構成してもよい。なお、本技術に係る細胞判別装置Ａ１において検出部３は必須の構成ではなく、例えば、測定部２に設けられたインピーダンスアナライザー等に検出部３の機能が備わるように構成してもよい。
【００２１】
（４）解析部
図１に示す解析部４１には、前述の測定部２において測定された複素抵抗からの複素誘電スペクトルの算出や、複素誘電スペクトルの特徴量からの物性値の算出を行う演算部４１１や、物性値に基づいて、細胞を２群以上に分類する判定部４１２が含まれている。解析部４１は、ＣＰＵ、メモリ及びハードディスクなどを備える汎用のコンピュータによって構成でき、ハードディスク内にはＯＳと後述する細胞判別用プログラムなどが格納されている。なお、図１において、演算部４１１と判定部４１２とは、同一の解析部４１に含まれているが、演算部４１１と判定部４１２とは、各々、別体として構成されていてもよい。
【００２２】
（５）分取部
分取部５は、上記の判定部４１２において、分取対象に分類された細胞と分取対象外に分類された細胞とを、分けるための構成である。例えば、分取部５には、狭窄部２６より下流に細胞を分取する為の分岐流路と、通流する細胞を前述の判定部４１２の判定結果に応じて所定の分岐流路へ選択的に移動させる機構と、分岐流路を通流した細胞を溜めておく細胞貯留部を備えている。この分岐流路と細胞貯留部は、分取部５に複数配置されることで、２種類以上の細胞を、各々、分取することも可能である。なお、本技術に係る細胞判別装置Ａ１において、分取部５は必須の構成でなく、細胞の分類のみに細胞判別装置Ａ１を用いる場合などにおいては、細胞判別装置Ａ１に分取部５が備えられていなくてもよい。
【００２３】
細胞を所定の分岐流路へ選択的に移動させる機構としては、例えば、フローサイトメータなどに用いられている公知の構成を採用することもできる。また、例えば、後述する細胞直径ｄに基づき分類可能な２種類以上の細胞から分取対象を選択する場合には、分取部５に誘電泳動力を用いて細胞の流動を制御するための構成が設けられていてもよい。
【００２４】
図３Ａから図３Ｃに示す分取部５では、誘電泳動力を発生させるための電極５１１ａ，５１１ｂを有する電場印加部５１が設けられている。分取対象又は分取対象外の細胞Ｃは、電極５１１ａ，５１１ｂの間に設けられた流路５１２を通流した後（矢印Ｆ１参照）、分岐流路５２を構成する何れか一の流路５２ａ，５２ｂを通流する（矢印Ｆ２参照）。
【００２５】
図３Ｂに示すように、電場印加部５１において電場が印加されると、誘電泳動力が働き、所定の細胞直径より細胞直径が大きい細胞Ｃ１については、電場印加部５１で移動方向が変化し（矢印Ｆ３参照）、分岐流路５２において所定の流路５２ａへ通流する（矢印Ｆ４参照）。また、図３Ｃに示すように、所定の細胞直径より細胞直径が小さい細胞Ｃ２は、誘電泳動力の影響が小さいため、電場印加部５１で移動方向が十分に変化せず（矢印Ｆ５参照）、分岐流路５２において所定の流路５２ｂへ通流する（矢印Ｆ６参照）。
【００２６】
誘電泳動力とは、下記の式（１）〜（２）で表わすことができる。
【００２７】
【数１】
2014038298.tif 000003
【００２８】
【数２】
2014038298.tif 000004
【００２９】
式中、ｒは粒子（細胞）の半径を表し、εＭは媒質の誘電率を表し、Ｋ（ω）はＣｌａｕｓｉｕｓ−Ｍｏｓｓｏｔｔｉ関数を表し、Ｅは電場強度を表し、ａは加速度を表し、ρは媒質密度を表し、μは媒質の粘度を表す。
【００３０】
式（１）に示すように、誘電泳動力は、粒子半径の３乗に比例する形で発生し、液中の粒子の最終速度は、式（２）に示すように粒子半径の２乗に比例するストークの式に達する。このため、誘電泳動力について、同じ作用時間であれば、粒子径の大きい粒子の方がより移動量が大きくなる。従って、誘電泳動力を発生させる交流電圧の電圧を所定の細胞直径未満の粒子（細胞）では十分な移動量を生み出さない範囲に設定にすることで、分取対象の細胞と分取対象外の細胞を、分取部５において分けることができる。
【００３１】
２．本技術に係る細胞判別装置の動作
次に、本技術に係る細胞判別装置Ａ１の動作について、図４に示すフローチャートに則して説明する。本技術に係る細胞判別方法には、フローチャート（図４）に示すように、細胞懸濁液の調製手順Ｓ１、複素抵抗の測定手順Ｓ２、細胞由来のシグナルの検出手順Ｓ３、物性値の算出手順Ｓ４、細胞の分類手順Ｓ５、細胞の分取手順Ｓ６の各手順が含まれる。
【００３２】
（１）細胞懸濁液の調製手順
細胞懸濁液の調製手順Ｓ１では、細胞を含む試料を、細胞判別装置Ａ１を用いた複素抵抗の測定に適した状態に調製する。本技術に係る細胞判別装置Ａ１を用いた測定の対象とする細胞は特に限定されないが、例えば、白血球、赤血球等の血球細胞、心筋細胞、線維芽細胞、内皮細胞、循環腫瘍細胞などが挙げられる。また、細胞は培養細胞であってもよい。
【００３３】
細胞が、例えば白血球の場合、本手順Ｓ１において、溶血剤処理や、密度勾配遠心法や赤血球凝集試薬による処理を全血に対して行い、測定対象外の赤血球や血小板を取り除く。また、上述した狭窄部２６の閉塞を防止するために、本手順Ｓ１において、メンブレンやろ紙等の物理フィルターによって、試料から対象の細胞より微小な粒子を取り除くことが好ましい。この他、循環腫瘍細胞を含む血液検体に含まれる細胞を分類する場合には、本手順Ｓ１において、抗体等などを利用して赤血球と白血球を予め取り除いてもよい。
【００３４】
細胞は、上述した測定部２において流路２１を通流するため、溶媒に分散された「細胞懸濁液」の状態に調製されることが好ましい。溶媒は、後述する複素抵抗の測定手順Ｓ２等において測定の妨げとならない組成であれば、特に限定されない。溶媒としては、例えば、生理食塩水などである。また、生理食塩水には、ＥＤＴＡや２％程度の濃度でウシ胎児血清（ＦＢＳ）が含まれていてもよい。
【００３５】
（２）複素抵抗の測定手順
複素抵抗の測定手順Ｓ２では、上述した測定部２の電極２５ａ，２５ｂに電圧を印加して、細胞懸濁液の調製手順Ｓ１で得られた細胞懸濁液に含まれる細胞の１つが狭窄部２６を通過することに起因する複素抵抗の変化について、振幅と位相を測定する。測定部２では、流路を流れる一個一個の細胞に対し、細胞の誘電緩和現象が起こる周波数範囲の多点周波数（例えば１６点）にわたり、それらの細胞の複素抵抗を測定する。測定で用いる周波数は、例えば、１００ｋＨｚから１００ＭＨｚの範囲とすることができる。
【００３６】
複素誘電スペクトルを得るためには、細胞が狭窄部２６を通過する時間内に、多点周波数にわたり複素抵抗を測定する必要がある。このため、一般的なＩＶ法に基づいた回路により、複数周波数の入力電圧を重畳合成して電極間に印加し、出力電圧及び出力電流をフーリエ変換することで、各周波数における複素抵抗を見積もる方法を用いてもよい。また、細胞が誘電緩和を示す周波数は、およそ１００ｋＨｚ〜１０ＭＨｚ程度である。本手順Ｓ２では、測定された複素抵抗について、シグナルとして検出部３へ出力する。
【００３７】
（３）細胞由来のシグナルの検出手順
細胞由来のシグナルの検出手順Ｓ３では、複素抵抗の測定手順Ｓ２によって測定部２から検出部３へ出力された複素抵抗の中から、細胞が狭窄部２６を通過した際の複素抵抗の変化を検出する。すなわち、測定部２の流路２１に細胞懸濁液が通流して、連続的に測定される複素抵抗から、細胞の通過に伴って変化した「細胞の由来のシグナル」に対応する部分を抽出する。
【００３８】
測定された複素抵抗から細胞に由来する部分を抽出するためには、例えば、測定部２における送液条件や狭窄部２６の大きさ、検出対象の細胞の種類、細胞懸濁液中の細胞の濃度等を考慮して、複素抵抗に対する閾値を設定してもよい。本手順Ｓ３によって検出されたシグナルは、解析部４１の演算部４１１へ出力される。
【００３９】
（４）物性値の算出手順
物性値の算出手順Ｓ４では、演算部４１１において、細胞由来のシグナルの検出手順Ｓ３によって検出部３で検出された細胞由来のシグナルから、細胞の物性値を算出する。物性値の算出手順Ｓ４は以下の通りである。
【００４０】
本手順Ｓ４では先ず、演算部４１１が、細胞由来のシグナルの検出手順Ｓ３で得られた細胞由来の複素抵抗を、公知の方法によって複素誘電率に変換する。次に、複素誘電率から複素誘電スペクトルを求める。さらに演算部４１１は、この複素誘電スペクトルの特徴量から、物性値を算出する。物性値とは、例えば、細胞直径ｄ、膜キャパシタンスＣｍ、細胞質電気伝導度Ｋ、緩和強度Ｄｅ、緩和周波数Ｆｃ又は低周波コンダクタンスＧｌｏｗである。このうち、何れか一以上の物性値を算出する。
【００４１】
本手順Ｓ４では、物性値のうち、先ず、緩和強度Ｄｅ、緩和周波数Ｆｃ、又は低周波コンダクタンスＧｌｏｗを複素誘電スペクトルから算出する。図５に、複素誘電スペクトルから得られる緩和強度Ｄｅ、緩和周波数Ｆｃ及び低周波コンダクタンスＧｌｏｗを模式的に示す。低周波コンダクタンスＧｌｏｗは、低周波数の複素抵抗に基づく電気伝導度である。本技術に係る細胞判別方法において、低周波コンダクタンスＧｌｏｗの「低周波」とは、測定部２の構成などに合わせて、緩和周波数Ｆｃより低い予め定めた周波数とすることができる。また、本技術に係る細胞判別方法では、低周波は、例えば、５００ｋＨｚ以下とすることが好ましい。なお、図５に示すように、低キャパシタンスの極限値における周波数を「低周波」としてもよい。
【００４２】
次いで、演算部４１１は、算出された緩和強度Ｄｅ、緩和周波数Ｆｃ、又は低周波コンダクタンスＧｌｏｗのうち、いずれか一以上に基づき、細胞直径ｄ、膜キャパシタンスＣｍ又は細胞質電気伝導度Ｋのうち、何れか一以上を算出する。これらの物性値は、単純球形細胞をモデルとする単一緩和式によって物性値を算出することもできる。単一緩和式では、例えば、細胞直径ｄは、低周波コンダクタンスＧｌｏｗに基づき算出され、膜キャパシタンスＣｍは、緩和強度Ｄｅ及び前記低周波コンダクタンスＧｌｏｗに基づき算出され、細胞質電気伝導度Ｋは、緩和強度Ｄｅ、緩和周波数Ｆｃ及び低周波コンダクタンスＧｌｏｗに基づき算出される。本技術に係る細胞判別方法においては、核を有する「有核細胞」や形状が単純な球形ではない「非球形細胞」の判別においても、この単純球形細胞をモデルとする式を適用する。なお、「非球形細胞」としては、例えば、細胞の一部が陥凹した赤血球や、突起を有するウニ状赤血球などが挙げられる。
【００４３】
上記の単純球形細胞をモデルとする単一緩和式とは、例えば、下記の式（３）〜（５）であり、下記の式（３）〜（５）によって、細胞の細胞直径ｄ、膜キャパシタンスＣｍ及び細胞質電気伝導度Ｋを算出することができる。
【００４４】
【数３】
2014038298.tif 000005
【００４５】
【数４】
2014038298.tif 000006
【００４６】
【数５】
2014038298.tif 000007
【００４７】
式中、ｄは細胞直径を表し、Ｇｌｏｗは低周波コンダクタンスを表し、Ｃｍは膜キャパシタンスを表し、Ｄｅは緩和強度を表し、Ｋは細胞質電気伝導度を表し、Ｆｃは緩和周波数を表す。数式（３）の定数ａと定数ｂは、測定部２の流路２１の構成に依存するパラメータである。このため、狭窄部２６の形状から計算することが可能な量である。また、実際に球形直径が厳密に管理されたポリエチレンビーズ等を細胞判別装置Ａ１で測定し、定数ａ及び定数ｂの値を算出することもできる。なお、単純球形細胞をモデルとする単一緩和式については、上記の式（３）〜（５）を適宜改変して用いることもできる。
【００４８】
（５）細胞の分類手順
細胞の分類手順Ｓ５は、物性値の算出手順Ｓ４によって算出された物性値に基づき、判定部４１２が細胞を１個単位で分類する。具体的には、細胞懸濁液に含まれる２種類以上の細胞の各々の物性値に基づいて、細胞懸濁液に含まれる細胞を２群以上に分ける。
【００４９】
判定部４１２における細胞の分類について、図６を参照して説明する。図６に示すように、本手順Ｓ５では、例えば、何れか一の物性値Ｐ１について所定値を決める。所定値の決定方法については後述する。そして、物性値の算出手順Ｓ４で算出された各々の細胞の物性値Ｐ１が所定値以上の場合には、その細胞を一つの種類Ｔ１（又は一つの群）に分類する。一方、細胞の物性値Ｐ１が所定値に満たない時は、その細胞を他の種類Ｔ２（又は他の群）に分類する。
【００５０】
細胞を３種類、又は３群に分類する場合には、２種類の物性値Ｐ１，Ｐ２を用いてもよい。図７に示すように、３種類に細胞を分類する場合、先ず、各々の細胞の物性値Ｐ１が所定値以上であるか否かによって、細胞を２群に分類する。その後、何れか一の群の細胞については、別の物性値Ｐ２を用いて、物性値Ｐ２が所定値以上であるか否かによって、細胞を２群に分ける。この結果、細胞は３群に分類される。細胞の分類手順Ｓ５で分類のために用いる物性値の種類は、一種類以上であればよく、特に限定されない。また、細胞を分けるために、選択される二以上の物性値を変数とする関数を用いてもよい。
【００５１】
なお、図６及び図７においては、物性値Ｐ１，Ｐ２の所定値以上と所定値未満とで細胞を２群以上に分けているが、細胞を２群に分ける場合には、所定値より大きい一の群と、所定値以下の一の群としてもよい。また、所定値が２群の何れにも含まれていなくてもよい。
【００５２】
細胞の分類手順Ｓ５において、細胞を分類するための物性値の所定値は、例えば、算出される各細胞の物性値の分布から決定してもよい。具体的には、各細胞について算出された物性値を用いて、一の物性値に基づく一次元ヒストグラムや、二の物性値に基づく二次元散布図、又は三の物性値に基づく三次元散布図などを作成し、図に示される細胞の分布に応じて、図中の領域を二以上に区切る物性値の所定の値を決定する。領域を区切るための境界の決定については、従来のフローサイトメータで使用されるゲート設定の技術を用いることができる。
【００５３】
なお、細胞の分類に用いる領域の境界は、細胞判別装置Ａ１の使用毎に決定してもよいが、過去に決定した境界の情報を判定部４１２に記録しておき、細胞の分類手順Ｓ５においてその境界の情報を読み出せるようにしてもよい。これにより同一条件下で細胞を分析、分取する際には判定部４１２での境界の設定は過去の情報を選んで読み出すだけの作業となり、ユーザの負担を軽減でき、細胞の分類手順Ｓ５がより効率的になる。
【００５４】
また、細胞の分類手順Ｓ５においては、判定部４１２による細胞の分類をリアルタイムで行い、分類した細胞が分取対象の場合には、分取部５を作動させるための信号を出力してもよい。
【００５５】
（６）細胞の分取手順
細胞の分取手順Ｓ６では、判定部４１２より出力された分取の信号を受けた分取部５において、分取対象の細胞を所定の分岐流路へ通流させるように作動させる。また、分取対象の細胞を各々別の細胞貯留部に通流させる場合には、前述の細胞の分類手順Ｓ５の結果に応じて、分取部５を、各々の細胞を所定の分岐流路に通流させるように作動させる。
【００５６】
本技術に係る細胞判別方法によって、算出された物性値に基づいて細胞を分類することが可能となる。このため、例えば光学系フローサイトメトリの使用に伴う細胞の染色などが不要となる。染色などの細胞の前処理を不要とすることは、細胞への前処理による影響を低減することができるため、本技術に係る細胞判別装置Ａ１による分類後に分取された細胞は、その後の分析や培養に利用しやすくなる。
【００５７】
また、本技術に係る細胞判別方法によれば、細胞の形態的特徴などに合わせて、物性値の算出方法を選択することなく、単純球形細胞をモデルとした式によって細胞の分類に有効な物性値を得られる。このため、細胞の判別が簡便となる。
【００５８】
３．本技術の第２実施形態に係る細胞判別装置
図８は、本技術の第２実施形態に係る細胞判別装置のブロック図である。図１と同様に図８に示す矢印は、細胞を含む液体（細胞懸濁液）の送流方向を示す。図８において符号Ａ２で示す細胞判別装置は、第１実施形態に係る細胞判別装置Ａ１における解析部４１の一形態として、分類部４２を有する。分類部４２は、細胞の複素誘電スペクトルから得られる緩和強度Ｄｅ、緩和周波数Ｆｃ及び低周波コンダクタンスＧｌｏｗ、のいずれか一つに基づいて、細胞を１個単位で分類する。即ち、上述した判定部４１２の細胞を分類する機能を有する。また、分類部４２は、複素誘電スペクトルから得られる緩和強度Ｄｅ、緩和周波数Ｆｃ又は低周波コンダクタンスＧｌｏｗのうち、いずれか一以上に基づき、細胞直径ｄ、膜キャパシタンスＣｍ又は細胞質電気伝導度Ｋを算出する機能を有していてもよい。即ち、分類部４２は、上述した演算部４１１の物性値を算出する機能を有していてもよい。さらに、予め測定された複素誘電スペクトルやこの複素誘電スペクトルから得られる緩和強度Ｄｅ、緩和周波数Ｆｃ又は低周波コンダクタンスＧｌｏｗが、細胞判別装置Ａ２に保存されていてもよい。分類部４２は、細胞判別装置Ａ２に保存されている複素誘電スペクトルや物性値を用いて、細胞の分類を行うこともできる。
【００５９】
第２実施形態に係る細胞判別装置Ａ２は、判別対象である細胞の複素誘電スペクトルを測定する測定部２を有していてもよい。また、細胞判別装置Ａ２は、分類部４２が出力する信号に基づき、細胞を２群以上に分ける分取部５を有していてもよい。測定部２と分取部５の構成及び機能は、第１実施形態に係る細胞判別装置Ａ１と同様である。細胞判別装置Ａ１と同様の構成及び機能についての説明は省略する。
【００６０】
前述した本技術の第１実施形態に係る細胞判別装置Ａ１では、解析部４１に演算部４１１と判定部４１２が設けられていた。しかし、本技術に係る細胞判別装置は、これに限定されるものではなく、第２実施形態に係る細胞判別装置Ａ２のように、分類部４２に物性値を算出する機能と該物性値に基づき細胞を分類する機能の両方が備えられていてもよい。
【００６１】
４．本技術に係る細胞判別システム
図９は、本技術に係る細胞判別システムのブロック図である。図９において符号Ｄで示す細胞判別システムは、複素誘電スペクトルから得られる物性値に基づき細胞を分類する分類部４２を有する細胞判別装置Ａ３と、複素誘電スペクトルを測定する測定部２を有する細胞分析装置Ｂと、を備える。図１と同様に図９に示す矢印は、細胞を含む液体（細胞懸濁液）の送流方向を示す。また、細胞分析装置Ｂは、分類部４２が出力する信号に基づき、細胞を２群以上に分ける分取部５を有していてもよい。分類部４２、測定部２及び分取部５の構成及び機能は、第１実施形態又は第２実施形態に係る細胞判別装置Ａ１，Ａ２と同様であり、その説明は省略する。
【００６２】
前述した細胞判別装置Ａ１，Ａ２では、細胞判別装置Ａ１，Ａ２に測定部２や分取部５が設けられている。しかし、本技術に係る細胞判別装置では、細胞判別システムＤのように、測定部２や分取部５を細胞判別装置Ａ３とは別体として構成することもできる。
【００６３】
５．細胞判別装置によって分類される細胞の具体例
上述した本技術に係る細胞判別方法について、白血球、心筋細胞及び循環腫瘍細胞を例として、以下に説明する。
【００６４】
（１）白血球
細胞が白血球の場合、上述した細胞判別方法によって、白血球を種類に応じて分類する。白血球とは、リンパ球、単球、好中球、好酸球及び好塩基球から選択される細胞である。
【００６５】
細胞懸濁液に含まれる細胞が、リンパ球、単球、好中球、好酸球及び好塩基球から選択される白血球であるときには、この白血球を２群に分けるため、上述した細胞の分類手順Ｓ５に、少なくとも以下の（ｉ）〜（ｉｖ）の何れか一の手順を含むことが好ましい。
（ｉ）細胞直径ｄの所定値により白血球を２群に分ける手順
（ｉｉ）緩和強度Ｄｅの所定値により白血球を２種類に分ける手順
（ｉｉｉ）膜キャパシタンスＣｍの所定値により白血球を２種類に分ける手順
（ｉｖ）物性値から選択される二以上を変数とする関数により前記白血球を２群に分ける手順
【００６６】
手順（ｉ）を行うことによって、細胞直径ｄに基づいて、５種類の白血球について、リンパ球又は好塩基球が含まれる一の群と、単球、好中球又は好酸球が含まれる他の一の群とに分けることができる。
【００６７】
また、手順（ｉｉ）によって、緩和強度Ｄｅに基づいて、白血球を単球と好中球とに分けることができ、手順（ｉｉｉ）によって、膜キャパシタンスＣｍに基づいて、白血球をリンパ球と好酸球とに分けることができる。
【００６８】
手順（ｉｖ）については、例えば、膜キャパシタンスＣｍと細胞質電気伝導度Ｋを変数とする関数を用いることで、この関数に基づいて、白血球をリンパ球と好塩基球とに分けることができる。また、緩和強度Ｄｅと緩和周波数Ｆｃを変数とする関数を用いることで、この関数に基づいて、白血球を好中球と好酸球の２種類に、又は好酸球と単球の２種類に分けることができる。
【００６９】
本技術に係る細胞判別方法によって行う白血球の分類では、細胞懸濁液に、リンパ球、単球、好中球、好酸球、及び好塩基球の５種類の細胞の全てが含まれていなくてもよく、白血球の５種類の細胞のうち、何れか二以上が細胞懸濁液に含まれていればよい。例えば、予め密度勾配遠心などを行って、５種類の白血球のうちの数種類の細胞のみが含まれた細胞懸濁液を、本技術に係る細胞判別方法に用いることもできる。
【００７０】
なお、細胞懸濁液に好中球が含まれている場合には、細胞直径ｄと膜キャパシタンスＣｍに基づき、好中球が含まれる領域を基準として決定する手順が、細胞の分類手順Ｓ５に含まれていてもよい。この手順Ｓ５では、先ず、測定された好中球の細胞直径ｄと膜キャパシタンスＣｍを二次元散布図状にプロットし、好中球の分布から好中球の領域を決定する。次に、好中球の領域を規定する、細胞直径ｄの所定値、膜キャパシタンスＣｍの所定値又は細胞直径ｄと膜キャパシタンスＣｍを変数とする関数等から、好中球以外の細胞を複数の群に分けるための境界を決定する。この手順は、例えば、好中球を含む白血球の分類に好適である。
【００７１】
また、本技術に係る細胞判別方法における白血球の分類については、上記の５種類の白血球の何れかへの分類以外にも、例えば、リンパ球をＴ細胞、Ｂ細胞及びＮＫ細胞の３種類に分類することにも適用できる。
【００７２】
（２）心筋細胞
細胞が、心筋細胞と他の細胞である場合、上述した細胞判別方法によって、各々の細胞の物性値に基づき、細胞を分類する。なお、他の細胞について特に種類は限定されないが、例えば、線維芽細胞や血球細胞、内皮細胞などが挙げられる。
【００７３】
細胞懸濁液に含まれる細胞が、心筋細胞と、線維芽細胞、内皮細胞及び赤血球から選択される一以上の細胞であるときに、上述した細胞の分類手順Ｓ５に、少なくとも以下の（ｉ）〜（ｉｉｉ）の何れか一の手順を含むことが好ましい。
（ｉ）細胞直径ｄの所定値により細胞を２群に分ける手順
（ｉｉ）膜キャパシタンスＣｍの所定値により細胞を２群に分ける手順
（ｉｉｉ）物性値から選択される二以上を変数とする関数により細胞を２群に分ける手順
【００７４】
例えば、上記の手順（ｉ）を行うことによって、細胞直径ｄに基づいて、心筋細胞を含む一の群と、他の細胞を含む一の群とに、細胞を分けることができる。
【００７５】
（３）循環腫瘍細胞
細胞が、循環腫瘍細胞（Ｃｉｒｃｕｌａｔｉｎｇ  Ｔｕｍｏｒ  Ｃｅｌｌ，  ＣＴＣ）と他の細胞である場合、上述した細胞判別方法によって、各々の細胞の物性値に基づき、細胞を分類する。循環腫瘍細胞とは、癌患者の末梢血流を循環する腫瘍細胞と定義され、原発腫瘍又は転移腫瘍から血管内へ浸潤した腫瘍細胞である。循環腫瘍細胞の検出は、転移性悪性腫瘍の早期発見として有効であるとされている。また、腫瘍の発見後や治療後の状態を予測するためのバイオマーカーとしても重要であるとされている。なお、上記の他の細胞については特に種類は限定されないが、例えば、赤血球、白血球などの末梢血に含まれる循環腫瘍細胞以外の細胞が挙げられる。
【００７６】
細胞懸濁液に含まれる細胞が、循環腫瘍細胞と、血液に含まれる細胞から選択される一以上の細胞であるときに、上述した細胞の分類手順Ｓ５に、少なくとも以下の（ｉ）〜（ｉｉｉ）の何れか一の手順を含むことが好ましい。
（ｉ）細胞直径ｄの所定値により細胞を２群に分ける手順
（ｉｉ）緩和周波数Ｆｃの所定値により細胞を２群に分ける手順
（ｉｉｉ）細胞直径ｄと緩和周波数Ｆｃの各々の所定値により細胞を２群に分ける手順
【００７７】
例えば、上記の手順（ｉ）〜（ｉｉｉ）の何れか一の手順を行うことによって、細胞の複素誘電スペクトルから得られる物性値に基づき、該細胞を循環腫瘍細胞として分類することができる。
【００７８】
本技術に係る細胞判別装置Ａ１，Ａ２，Ａ３を用いて行う細胞判別方法では、複素誘電スペクトルから得られる緩和強度Ｄｅ、緩和周波数Ｆｃ及び低周波コンダクタンスＧｌｏｗの、少なくともいずれか一つに基づいて細胞を１個単位で分類することができる。これは、例えば、循環腫瘍細胞の検出に用いられるＣｅｌｌ  ｓｅａｒｃｈ  ｓｙｓｔｅｍなどと異なり、循環腫瘍細胞の表面に発現する抗原に対して特異的な抗体を用いる必要がない。従って、抗体を用いた染色など、細胞の前処理を行うことなく、循環腫瘍細胞を検出することが可能となる。このため、分類後に分取された循環腫瘍細胞を、その後の分析や培養に利用することが容易となる。さらに、細胞表面に抗原が発現していない腫瘍細胞のように、抗体に反応しないタイプの循環腫瘍細胞に対しても、本技術に係る細胞判別方法では、検出が可能となる。
【００７９】
また、後述する実施例６に示すように、複素誘電スペクトルに基づく細胞の分類による循環腫瘍細胞の検出では、細胞数以外に、物性値の差異から循環腫瘍細胞をさらに分類することも可能である。循環腫瘍細胞をさらに２群以上に分けることによって、例えば、治療や経過に伴う腫瘍細胞の性質の変化を検出することも可能となる。
【００８０】
６．本技術に係る細胞判別方法及び細胞判別用プログラム
本技術に係る細胞判別方法は、上述した細胞判別装置Ａ１の解析部４１に含まれる演算部４１１及び判定部４１２や、細胞判別装置Ａ２や細胞判別システムＤの分類部４２によって実行される動作に対応するものである。また、細胞判別装置Ａ１の解析部４１や、細胞判別装置Ａ２や細胞判別システムＤの分類部４２には、この動作を実行するための細胞判別用プログラムが格納されている。
【００８１】
本技術に係る細胞判別用プログラムは、ハードディスクに格納・保持され、ＣＰＵ及びＯＳの制御下でメモリに読み込まれて、上述の算出と分類に係る操作を実行する。また、細胞判別用プログラムは、コンピュータで読み取り可能な記録媒体に記録されたものとできる。記録媒体としては、コンピュータで読み取り可能な記録媒体であれば特に制限はないが、具体的には、例えば、フレキシブルディスクやＣＤ−ＲＯＭ等の円盤形記録媒体が用いられる。また、磁気テープ等のテープ型記録媒体を用いてもよい。また、一部の処理をＤＳＰ（Ｄｉｇｉｔａｌ  Ｓｉｇｎａｌ  Ｐｒｏｃｅｓｓｏｒ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＰＬＤ（Ｐｒｏｇｒａｍｉｎｇ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）等のハードウェアで構成し、上記のプログラムと連携させて高速処理を行う構成も採用できる。
【００８２】
なお本技術は、以下のような構成もとることができる。
（１）細胞の複素誘電スペクトルから得られる緩和強度、緩和周波数及び低周波コンダクタンス、のいずれか一つに基づいて、前記細胞を１個単位で分類する分類部、を有する細胞判別装置。
（２）前記分類部は、前記緩和強度、前記緩和周波数及び前記低周波コンダクタンスのうち、いずれか一以上に基づき、前記細胞の細胞直径、膜キャパシタンス、細胞質電気伝導度のうち、何れか一以上を算出する上記（１）記載の細胞判別装置。
（３）前記細胞直径は、前記低周波コンダクタンスに基づき算出される上記（２）記載の細胞判別装置。
（４）前記膜キャパシタンスは、前記緩和強度及び前記低周波コンダクタンスに基づき算出される上記（２）又は（３）記載の細胞判別装置。
（５）前記細胞質電気伝導度は、前記緩和強度、前記緩和周波数及び前記低周波コンダクタンスに基づき算出される上記（２）〜（４）の何れかに記載の細胞判別装置。
（６）前記細胞に、少なくとも白血球が含まれる上記（２）〜（５）の何れかに記載の細胞判別装置。
（７）前記細胞に、少なくとも心筋細胞が含まれる上記（２）〜（６）の何れかに記載の細胞判別装置。
（８）前記細胞に、少なくとも循環腫瘍細胞が含まれる上記（２）〜（７）の何れかに記載の細胞判別装置。
（９）前記複素誘電スペクトルを測定する測定部を有する上記（１）〜（８）の何れかに記載の細胞判別装置。
（１０）前記分類部が出力する信号に基づき、前記細胞を２群以上に分ける分取部を有する上記（１）〜（９）の何れかに記載の細胞判別装置。
【実施例】
【００８３】
＜実施例１＞
１．物性値の所定値に基づく白血球の分類（１）
複素誘電スペクトルに基づく物性値のうち、細胞直径ｄによって白血球の分類が可能であるか検証した。【００８４】
［材料と方法］
ヒトの全血から、リンパ球、単球、好酸球、好中球及び好塩基球の５種類の細胞の各々分離し、何れかを含む細胞懸濁液を調製した。細胞懸濁液については、各々、１×１０５〜１×１０７／ｍｌ程度の細胞判別装置の測定に適した濃度に希釈した。各々の細胞懸濁液について、別個に複素抵抗を測定し、複素誘電スペクトルを求めた。得られた複素誘電スペクトルから緩和強度Ｄｅを得た。また、複素誘電スペクトルから前述した式（３）を用いて細胞直径ｄを算出し、式（４）を用いて膜キャパシタンスＣｍを算出した。【００８５】
［結果］
（１）リンパ球と好中球
図１０Ａに２種類の物性値におけるリンパ球と好中球の分布図を示す。図１０Ａの縦軸は膜キャパシタンスＣｍであり、横軸は細胞直径ｄである。図１０Ａに示すように、リンパ球と好中球は、細胞直径の所定値（ｄ＝約８μｍ）を境界として２群に分かれて分布していることが確認された。細胞直径ｄの所定値で領域を２つに分けた場合の、各々の領域に含まれる細胞の割合（％）を表１に示す。【００８６】
【表１】
2014038298.tif 000008
【００８７】
表１に示すように、リンパ球は９５％が、ｄ＜８の領域に存在し、好中球は９５％がｄ＞８の領域に存在した。【００８８】
（２）リンパ球と好酸球
図１０Ｂに２種類の物性値におけるリンパ球と好酸球の分布図を示す。図１０Ｂの縦軸は膜キャパシタンスＣｍであり、横軸は細胞直径ｄである。図１０Ｂに示すように、リンパ球と好酸球は、細胞直径の所定値（ｄ＝約８μｍ）を境界として２群に分かれて分布していることが確認された。細胞直径ｄの所定値で領域を２つに分けた場合の、各々の領域に含まれる細胞の割合（％）を表２に示す。【００８９】
【表２】
2014038298.tif 000009
【００９０】
表２に示すように、リンパ球は９５％が、ｄ＜８の領域に存在し、好酸球は９７％がｄ＞８の領域に存在した。【００９１】
（３）リンパ球と単球
図１１Ａに２種類の物性値におけるリンパ球と単球の分布図を示す。図１１Ａの縦軸は膜キャパシタンスＣｍであり、横軸は細胞直径ｄである。図１１Ａに示すように、リンパ球と単球は、細胞直径の所定値（ｄ＝約８．２μｍ）を境界として２群に分かれて分布していることが確認された。細胞直径ｄの所定値で領域を２つに分けた場合の、各々の領域に含まれる細胞の割合（％）を表３に示す。【００９２】
【表３】
2014038298.tif 000010
【００９３】
表３に示すように、リンパ球は９７％が、ｄ＜８．２の領域に存在し、単球は８４％がｄ＞８．２の領域に存在した。【００９４】
（４）好中球と好塩基球
図１１Ｂに２種類の物性値における好中球と好塩基球の分布図を示す。図１１Ｂの縦軸は膜キャパシタンスＣｍであり、横軸は細胞直径ｄである。図１１Ｂに示すように、好中球と好塩基球は、細胞直径の所定値（ｄ＝約８μｍ）を境界として２群に分かれて分布していることが確認された。細胞直径ｄの所定値で領域を２つに分けた場合の、各々の領域に含まれる細胞の割合（％）を表４に示す。【００９５】
【表４】
2014038298.tif 000011
【００９６】
表４に示すように、好中球は９５％が、ｄ＞８の領域に存在し、好塩基球は９５％がｄ＜８の領域に存在した。【００９７】
（５）好塩基球と好酸球
図１２Ａに２種類の物性値における好塩基球と好酸球の分布図を示す。図１２Ａの縦軸は膜キャパシタンスＣｍであり、横軸は細胞直径ｄである。図１２Ａに示すように、好塩基球と好酸球は、細胞直径の所定値（ｄ＝約８μｍ）を境界として２群に分かれて分布していることが確認された。細胞直径ｄの所定値で領域を２つに分けた場合の、各々の領域に含まれる細胞の割合（％）を表５に示す。【００９８】
【表５】
2014038298.tif 000012
【００９９】
表５に示すように、好塩基球は９７％が、ｄ＜８の領域に存在し、好酸球は９５％がｄ＞８の領域に存在した。【０１００】
（６）好塩基球と単球
図１２Ｂに２種類の物性値における好塩基球と単球の分布図を示す。図１２Ｂの縦軸は膜キャパシタンスＣｍであり、横軸は細胞直径ｄである。図１２Ｂに示すように、好塩基球と単球は、細胞直径の所定値（ｄ＝約８．２μｍ）を境界として２群に分かれて分布していることが確認された。細胞直径ｄの所定値で領域を２つに分けた場合の、各々の領域に含まれる細胞の割合（％）を表６に示す。【０１０１】
【表６】
2014038298.tif 000013
【０１０２】
表６に示すように、好塩基球は９８％が、ｄ＜８．２の領域に存在し、単球は８４％がｄ＞８．２の領域に存在した。【０１０３】
本実施例に示すように、式（３）を用いて細胞の複素誘電スペクトルから算出された細胞直径ｄの所定の値で細胞を２群に分けると、各々の細胞の８０％以上が何れか一方の領域に存在した。この結果から、複素誘電スペクトルから算出された物性値を用いて、白血球を種類に応じて分類できることが確認された。【０１０４】
＜実施例２＞
２．物性値の所定値に基づく白血球の分類（２）
白血球について、細胞直径ｄ以外の物性値に基づく細胞の分類について検証した。細胞の複素誘電スペクトルは、実施例１で得られたデータを使用し、緩和強度Ｄｅと緩和周波数Ｆｃを算出した。また、前述の式（４）によって膜キャパシタンスＣｍを算出した。【０１０５】
［結果］
（１）好中球と単球
図１３Ａに２種類の物性値における好中球と単球の分布図を示す。図１３Ａの縦軸は緩和周波数Ｆｃであり、横軸は緩和強度Ｄｅである。図１３Ａに示すように、好中球と単球とは、緩和強度の所定値（Ｄｅ＝８５０）を境界として２群に分かれて分布していることが確認された。緩和強度Ｄｅの所定値で領域を２つに分けた場合の、各々の領域に含まれる細胞の割合（％）を表７に示す。【０１０６】
【表７】
2014038298.tif 000014
【０１０７】
表７に示すように、好中球は９３％がＤｅ＜８５０の領域に存在し、単球は６８％がＤｅ＞８５０の領域に存在した。【０１０８】
（２）リンパ球と好酸球
図１３Ｂは、２種類の物性値におけるリンパ球と好酸球の分布図である。図１３Ｂの縦軸は膜キャパシタンスＣｍであり、横軸は細胞直径ｄである。リンパ球と好酸球は、実施例１において、細胞直径ｄの所定値を用いることで２種類に分類できたが、図１３Ｂに示すように、膜キャパシタンスＣｍの所定値（Ｃｍ＝  約１．０５Ｅ−１）を境界としても２群に分かれて分布していることが確認された。膜キャパシタンスＣｍの所定値で領域を２つに分けた場合の、各々の領域に含まれる細胞の割合（％）を表８に示す。【０１０９】
【表８】
2014038298.tif 000015
【０１１０】
表８に示すように、リンパ球は９３％がＣｍ＞１．０５Ｅ−１の領域に存在し、好酸球は９３％がＣｍ＜１．０５Ｅ−１の領域に存在した。【０１１１】
本実施例に示すように、細胞の複素誘電スペクトルから得られる緩和強度Ｄｅや、式（４）を用いて複素誘電スペクトルから算出された膜キャパシタンスＣｍの、各々の所定の値によって、細胞を２群に分けると、各々の細胞の６５％以上が何れか一方の領域に存在した。この結果から、複素誘電スペクトルから算出された物性値を用いて、白血球を種類に応じて分類できることが確認された。【０１１２】
＜実施例３＞
３．２種類の物性値を変数とする関数に基づく白血球の分類
白血球について、何れかの物性値の所定値による判別が適用されなかった白血球の組み合わせについて、２つの物性値を変数とする関数に基づく細胞の分類について検証した。細胞の複素誘電スペクトルには、実施例１で得られたデータを使用し、緩和強度Ｄｅと緩和周波数Ｆｃを算出した。また、前述の式（４）によって膜キャパシタンスＣｍを算出し、式（５）を用いて細胞質電気伝導度Ｋを算出した。【０１１３】
［結果］
（１）リンパ球と好塩基球
図１４に２種類の物性値におけるリンパ球と好塩基球の分布図を示す。図１４の縦軸（ｙ軸）は細胞質電気伝導度Ｋであり、横軸（ｘ軸）は膜キャパシタンスＣｍである。図１４に示すように、リンパ球と好塩基球とは、図中直線で示す関数（ｙ＝ａｘ＋ｂ、ａ＝−１．８２Ｅ＋７、ｂ＝３．６７Ｅ＋６）を境界として２群に分かれて分布していることが確認された。この関数で領域を２つに分けた場合の、各々の領域に含まれる細胞の割合（％）を表９に示す。【０１１４】
【表９】
2014038298.tif 000016
【０１１５】
表９に示すように、上記の関数で領域を分けると、リンパ球は８９％がｙ＞ａｘ＋ｂの領域に存在し、好塩基球は８５％がｙ＜ａｘ＋ｂの領域に存在した。【０１１６】
（２）好中球と好酸球
図１５に２種類の物性値における好中球と好酸球の分布図を示す。図１５の縦軸（ｙ軸）は緩和周波数Ｆｃであり、横軸（ｘ軸）は緩和強度Ｄｅである。図１５に示すように、好中球と好酸球とは、図中直線で示す関数（ｙ＝ａｘ＋ｂ、ａ＝−１．４７Ｅ＋３、ｂ＝２．５８Ｅ＋６）を境界として２群に分かれて分布していることが確認された。この関数で領域を２つに分けた場合の、各々の領域に含まれる細胞の割合（％）を表１０に示す。【０１１７】
【表１０】
2014038298.tif 000017
【０１１８】
表１０に示すように、上記の関数で領域を分けると、好中球は８５％がｙ＜ａｘ＋ｂの領域に存在し、好酸球は７５％がｙ＞ａｘ＋ｂの領域に存在した。【０１１９】
（３）好酸球と単球
図１６に２種類の物性値における好酸球と単球の分布図を示す。図１６の縦軸（ｙ軸）は緩和周波数Ｆｃであり、横軸（ｘ軸）は緩和強度Ｄｅである。図１６に示すように、好酸球と単球とは、図中直線で示す関数（ｙ＝ａｘ＋ｂ、ａ＝−９．６６Ｅ＋１、ｂ＝１．３７Ｅ＋６）を境界として２群に分かれて分布していることが確認された。この関数で領域を２つに分けた場合の、各々の領域に含まれる細胞の割合（％）を表１１に示す。【０１２０】
【表１１】
2014038298.tif 000018
【０１２１】
表１１に示すように、上記の関数で領域を分けると、好酸球は８５％がｙ＞ａｘ＋ｂの領域に存在し、単球は６１％がｙ＜ａｘ＋ｂの領域に存在した。【０１２２】
本実施例の結果から、細胞の複素誘電スペクトルから得られる物性値を変数とする関数によって細胞を２群に分けると、各々の細胞の６０％以上が何れか一方の領域に存在することが確認された。また、この結果から複素誘電スペクトルから算出された物性値を変数とする関数を用いることで、白血球を種類に応じて分類できることが示された。【０１２３】
＜実施例４＞
４．好中球の分布を基準とした細胞の分類
複素誘電スペクトルから得られる物性値に基づく好中球の分布を基準として用いることによって、好中球を含む白血球の分類が可能であるか検証した。５種類の白血球の複素誘電スペクトルには、実施例１で得られたデータを用いた。複素誘電スペクトルから、前述の式（３）を用いて細胞直径ｄを算出し、式（４）を用いて膜キャパシタンスＣｍを算出した。【０１２４】
図１７に、２種類の物性値における５種類の白血球の分布図を示す。図１７の縦軸は膜キャパシタンスＣｍであり、横軸は細胞直径ｄである。また、図１７に示された直線は、好中球の分布に基づいて好中球の領域として規定した部分の膜キャパシタンスＣｍの下限値（Ｃｍ＝０．０９５）と、細胞直径ｄの下限値（ｄ（μｍ）＝８）に対応する。これらの下限値で細胞を２群に分けた場合の、各群に含まれる各々の細胞の割合（％）を表１２と表１３に示す。【０１２５】
【表１２】
2014038298.tif 000019
【０１２６】
表１２は、好中球の領域の細胞直径ｄの下限値（ｄ（μｍ）＝８）で細胞を２群に分けた結果である。表１２に示すように、５種類の白血球は、何れか一方の領域に８７％から９７％の割合で存在した。この結果から、好中球の領域の細胞直径ｄの下限値を境界として、白血球の各々の細胞の分布が偏っていることが示された。また、好中球の領域の細胞直径ｄの下限値を基準として、細胞を２群に分けると、好中球、好酸球及び単球を一の群とし、好塩基球及びリンパ球を他の一の群として、細胞を２群に分けられることが確認された。【０１２７】
【表１３】
2014038298.tif 000020
【０１２８】
表１３は、好中球の領域の膜キャパシタンスの下限値（Ｃｍ＝０．０９５）で細胞を２群に分けた結果である。表１３に示すように、５種類の白血球は、何れか一方の領域に７２％から９７％の割合で存在した。この結果から、好中球の領域の膜キャパシタンスＣｍの下限値を境界として、白血球の各々の細胞の分布が偏っていることが示された。また、好中球の領域の膜キャパシタンスの下限値を基準として、細胞を２群に分けると、好中球、好塩基球、リンパ球及び単球を一の群とし、好酸球を他の一の群として、細胞を２群に分けられることが確認された。【０１２９】
本実施例の結果から、細胞直径ｄと膜キャパシタンスＣｍに基づく好中球の領域を基準とすることによって、白血球を細胞の種類に応じて２つの群に分けられることが示された。【０１３０】
＜実施例５＞
５．物性値に基づく心筋細胞を含む細胞の分類
複素誘電スペクトルに基づく物性値によって心筋細胞を含む細胞の分類が可能であるか検証した。【０１３１】
［材料と方法］
心筋細胞には、市販のラット心筋細胞を用い、複素抵抗の測定に適した細胞懸濁液として調製した。また、心臓から回収された心筋細胞が含まれる細胞懸濁液には、赤血球等の血球細胞や、血管内皮細胞、線維芽細胞等の心筋細胞以外の細胞が含まれることが一般的である。そこで、ラット心筋細胞を含む細胞懸濁液に含まれる細胞について、複素抵抗を測定し、複素抵抗から誘電率を算出し、細胞の複素誘電スペクトルから得られる物性値に基づいて、細胞懸濁液に含まれる細胞の分類を行った。物性値として、本実施例では、細胞直径ｄと膜キャパシタンスＣｍを用いた。細胞直径ｄは、複素誘電スペクトルから前述の式（３）によって算出し、膜キャパシタンスＣｍは、前述の式（４）によって算出した。【０１３２】
細胞懸濁液に含まれる細胞については、測定に用いるものとは別に、培養用としても用意し、心筋細胞を含む細胞の培養を行った。培養方法については、公知の方法を用いた。培養後１日の時点で細胞をトリプシン処理によって培養用容器から回収し、細胞懸濁液として調製し、この細胞懸濁液に含まれる細胞の複素抵抗を測定した。【０１３３】
また、複素抵抗を測定した細胞については、測定データと対応可能となるように、カメラを用いて動画を撮影し、撮影された細胞を形状から「球形状細胞」、「非球形状細胞」、「赤血球」、細胞片などを含め、分類できなかったものをまとめた「その他」に分類した。また、本実施例に用いた細胞懸濁液に一般的に含まれると考えられる細胞の種類に基づき、「球形状細胞」は主に心筋細胞であり、「非球形状細胞」は主に線維芽細胞であると判断される。【０１３４】
［結果］
図１８に２種類の物性値における心筋細胞を含む細胞の分布図を示す。図１８Ａ及び図１８Ｂの縦軸（ｙ軸）は膜キャパシタンスＣｍであり、横軸（ｘ軸）は細胞直径ｄである。また、図１８Ａは、培養開始前の細胞の分布を示し、図１８Ｂは、細胞の培養開始後１日における分布を示す。図１８Ａ及び図１８Ｂに示すように、細胞は、細胞直径ｄと膜キャパシタンスＣｍに基づく２次元のプロットにおいて、偏った分布を示した。以下、培養前の細胞（図１８Ａ）と培養後１日の細胞（図１８Ｂ）について、順に結果を述べる。【０１３５】
〔結果−培養前〕
図１８Ａに示す細胞の分布において、細胞が集中する領域を領域１〜３とし、各領域の範囲と、各領域に含まれる球形細胞、非球形細胞、赤血球、その他の割合（％）を表１４に示す。【０１３６】
【表１４】
2014038298.tif 000021
【０１３７】
表１４に示すように、領域１に含まれる細胞の約７割が球形状細胞（心筋細胞）であり、領域２に含まれる細胞の約７割が非球形状細胞（線維芽細胞）であった。また、領域３に含まれる細胞の約５割は、赤血球であった。この結果は、複素誘電スペクトルから得られた膜キャパシタンスＣｍと細胞直径ｄに基づく細胞の分布において、細胞の種類によって分布に偏りが生じることを示している。【０１３８】
また、図１８Ａに示された直線は、各々、細胞直径（ｘ）＝８μｍを示す直線と、関数（ｙ＝ａｘ＋ｂ、ａ＝−１．１６Ｅ−３、ｂ＝３．０２Ｅ−２）である。図１８Ａに示すように、例えば細胞直径ｄの所定値（８μｍ）で細胞が分布する領域を２群に分けると、一の群には、領域１と領域２が含まれ、他の一の群には領域３が含まれる。また、細胞直径ｄと膜キャパシタンスＣｍの変数に基づく関数で領域を２群に分けると、一の領域には領域１と領域３が含まれ、他の一の領域には領域２が含まれる。なお、一の領域に領域１と領域２が含まれ、他の一の領域に領域３が含まれるように、膜キャパシタンスＣｍの所定値を境界とすることもできる。表１４に示すように、領域１〜３には、球形状細胞（心筋細胞）、非球形状細胞（線維芽細胞）又は赤血球が高い密度で存在している。このため、細胞直径ｄや膜キャパシタンスＣｍの所定値や、細胞直径ｄと膜キャパシタンスＣｍの変数に基づく関数を用いることによって、細胞を種類に応じて分類することが可能となる。【０１３９】
〔結果−培養後１日〕
図１８Ｂに示す細胞の分布において、細胞が集中する領域を領域１〜２とし、各領域の範囲と、各領域に含まれる球形細胞、非球形細胞、赤血球、その他の割合（％）を表１５に示す。【０１４０】
【表１５】
2014038298.tif 000022
【０１４１】
表１５に示すように、領域１に含まれる細胞の約７割近くが球形状細胞（心筋細胞）であり、領域２に含まれる細胞の約９割近くが非球形状細胞（線維芽細胞）であった。この結果は、培養を行った細胞についても、複素誘電スペクトルから得られた膜キャパシタンスＣｍと細胞直径ｄに基づく細胞の分布において、細胞の種類によって分布に偏りが生じることを示している。なお、図１８Ｂに示す培養後１日の細胞の分布図において、図１８Ａの領域３に対応する領域に、細胞培養前に比べ細胞が少ないのは、細胞を培養する過程で、培養用容器に接着しない赤血球等の血球細胞が取り除かれたためであると考えられる。【０１４２】
また、図１８Ｂに示された直線は、細胞直径（ｘ）＝７μｍを示す直線と、関数（ｙ＝ａｘ＋ｂ、ａ＝−１．１６Ｅ−３、ｂ＝３．０２Ｅ−２）である。図１８Ｂに示すように、細胞直径ｄと膜キャパシタンスＣｍの変数に基づく関数で領域を２群に分けると、一の領域には領域１が含まれ、他の一の領域には領域２が含まれる。表１５に示すように、領域１〜２には、球形状細胞（心筋細胞）又は非球形状細胞（線維芽細胞）が高い密度で存在している。このため、細胞直径ｄと膜キャパシタンスＣｍの変数に基づく関数を用いることによって、細胞を種類に応じて分類することが可能となる。【０１４３】
本実施例の結果から、心筋細胞を含む細胞の複素誘電スペクトルから得られる物性値に基づいて、細胞を種類に応じて分類できることが示された。また、心筋細胞を含む細胞について、細胞直径ｄの所定値や膜キャパシタンスＣｍの所定値、又は２種類の物性値を変数とする関数に基づいて、種類に応じた分類が可能であることが確認された。【０１４４】
＜実施例６＞
６．物性値に基づく癌細胞を含む細胞の分類
複素誘電スペクトルに基づく物性値によって、癌細胞を含む細胞の分類が可能であるか検証した。【０１４５】
［材料と方法］
本実施例では、癌細胞として、ヒト大腸癌由来のＨＴ２９細胞とＲＫＯ細胞を用いた。これらの癌細胞については、各々、複素抵抗の測定に適した細胞懸濁液として調製した。また、密度勾配遠心と抗ＣＤ４５抗体又は抗ＣＤ２３５Ａ抗体が結合された磁気ビーズの使用によって、非癌患者の血液から白血球と赤血球の大部分を取り除く処理を行い、処理後の血液を得た。本実施例では、この処理後の血液を正常血液検体と称する。正常血液検体についても、複素抵抗の測定に適した細胞懸濁液として調製した。【０１４６】
上記の３種類の細胞懸濁液に含まれる細胞の各々について、複素抵抗を測定し、複素誘電スペクトルを得た。この複素誘電スペクトルから得られる物性値に基づき、各々の細胞懸濁液に含まれる細胞の分布を調べた。物性値として、本実施例では、緩和周波数Ｆｃ、細胞直径ｄと細胞質電気伝導度Ｋを用いた。細胞直径ｄは、複素誘電スペクトルから前述の式（３）によって算出し、細胞質電気伝導度Ｋは、前述の式（５）によって算出した。【０１４７】
［結果］
図１９から図２１に本実施例の結果を示す。図１９から図２０の縦軸（ｙ軸）は緩和周波数Ｆｃであり、横軸（ｘ軸）は細胞直径ｄである。また、図２１の縦軸（ｙ軸）は細胞質電気伝導度Ｋであり、横軸（ｘ軸）は細胞直径ｄである。図１９Ａは、細胞直径ｄと緩和周波数Ｆｃにおける上記の正常血液検体に含まれる細胞の分布図を示し、図１９Ｂは、細胞直径ｄと緩和周波数ＦｃにおけるＨＴ２９細胞とＲＫＯ細胞の分布図を示す。また、図２０は、図１９Ａと図１９Ｂに示す各々の細胞の分布を重ね合わせた上で、細胞直径ｄが１２．５μｍを超える範囲を拡大したものである。【０１４８】
図１９Ａに示すように、正常血液検体に含まれる細胞については、細胞直径ｄが１２．５μｍ以下の領域に集中していた。一方、図１９Ｂ及び図２０に示すように、ＨＴ２９細胞とＲＫＯ細胞は、緩和周波数Ｆｃが２．５ＭＨｚ未満の領域に集中していた（図２０に示す直線は、緩和周波数Ｆｃ＝２．５ＭＨｚを示す。）。また、同じ大腸癌由来の細胞であっても、ＨＴ２９細胞とＲＫＯ細胞では、細胞直径ｄに対する分布は異なっていた。図２１は、細胞直径ｄと細胞質電気伝導度Ｋにおける、正常血液検体由来の細胞と、ＨＴ２９細胞及びＲＫＯ細胞の分布図を示す。図２１に示すように、ＨＴ２９細胞とＲＫＯ細胞は、細胞質電気伝導度Ｋに基づき領域を区切った場合には、細胞質電気伝導度Ｋが２．８Ｅ１０未満の領域に集中していた（図２１に示す直線は、細胞質電気伝導度Ｋ＝２．８Ｅ１０を示す。）。【０１４９】
以上の結果から、癌細胞と血液に含まれる細胞は、複素誘電スペクトルから得られる細胞直径ｄと緩和周波数Ｆｃ又は細胞質電気伝導度Ｋに基づく分布において、各々偏りが認められた。従って、細胞直径ｄと緩和周波数Ｆｃ又は細胞質電気伝導度Ｋに基づき、細胞を癌細胞と他の細胞とに分類できることが示された。また、ＨＴ２９細胞とＲＫＯ細胞では、細胞直径ｄにおける分布に違いが認められたことから、複素誘電スペクトルから得られる物性値によって、癌細胞をさらに細かく分類することも可能であることが示された。【０１５０】
＜実施例７＞
７．物性値に基づく循環腫瘍細胞を含む細胞の分類
実施例６において、癌細胞と他の細胞とが、複素誘電スペクトルから得られる物性値に基づき分類可能であることが示された。本実施例では、この分類が循環腫瘍細胞に適用可能であるか検証した。【０１５１】
［材料と方法］
循環癌細胞を含む血液の代わりに、本実施例では、上記の大腸癌由来の細胞が実施例６の正常血液検体に混合されたものを用意した。本実施例では、これを腫瘍細胞混入血液検体と称する。この腫瘍細胞混入血液検体についても複素抵抗の測定に適した細胞懸濁液として調製した。この細胞懸濁液に含まれる細胞の各々について、複素抵抗を測定し、複素誘電スペクトルを得た。この複素誘電スペクトルから得られる物性値に基づき、細胞の分類を行った。物性値として、本実施例では、緩和周波数Ｆｃ、細胞直径ｄを用いた。細胞直径ｄは、複素誘電スペクトルから前述の式（３）によって算出した。【０１５２】
［結果］
本実施例の結果を図２２に示す。図２２の縦軸（ｙ軸）は緩和周波数Ｆｃを示し、横軸（ｘ軸）は、細胞直径ｄを示す。図２２では、細胞直径ｄと緩和周波数Ｆｃにおける正常血液検体に含まれる細胞と腫瘍細胞混入血液検体に含まれる細胞の各々の分布を重ね合わせて示す。図２２に示す領域１は、細胞直径ｄが１２．５μｍを超える領域であり、領域２は、細胞直径ｄが１２．５μｍを超え、かつ緩和周波数Ｆｃが２．５ＭＨｚ未満の領域である。表１６は領域１と領域２の各々の存在する細胞数（個）を示す。なお、図２２に示す正常血液検体に含まれる細胞と腫瘍細胞混入血液検体に含まれる細胞の数は、各々、１４７５個と２０１９個である。【０１５３】
【表１６】
2014038298.tif 000023
【０１５４】
表１６に示すように、腫瘍細胞混入血液検体に含まれる細胞のうち、領域１には、３５０個が存在し、領域２には、３３３個が存在した。一方、正常血液検体に含まれる細胞のうち、領域１には２９個が存在し、領域２には３個が存在した。正常血液検体には、腫瘍細胞（ＨＴ２９細胞、ＲＫＯ細胞）が含まれていない。このため、正常血液検体に含まれる細胞の各領域における存在数は、これらの領域に含まれる細胞を腫瘍細胞と判定した場合の判定の精度を意味している。【０１５５】
表１６に示すように、領域１には、正常血液検体に含まれる細胞の数が全体の約２％であるのに対して、腫瘍細胞混入血液検体に含まれる細胞の数は全体の約１７％であった。従って、ＨＴ２９細胞とＲＫＯ細胞が正常血液検体に混合された場合であっても、複素誘電スペクトルから得られる細胞直径ｄに基づき、腫瘍細胞と他の細胞とに分類できることが確認された。即ち、本技術に係る細胞判別方法によって、循環腫瘍細胞を分類することができることが示された。【０１５６】
さらに、細胞直径ｄに加えて緩和周波数Ｆｃに基づく領域２では、領域１に比べ、正常血液検体に含まれる細胞の数が１０分の１程度に減少した。これは、循環腫瘍細胞の分類においては、細胞直径ｄと緩和周波数Ｆｃを用いることで、腫瘍細胞以外の細胞を腫瘍細胞として分類することがより低減されることを示している。以上の結果から、本技術に係る細胞判別方法によって循環腫瘍細胞を分類する場合には、２つ以上の物性値を用いることが好ましく、細胞直径ｄと緩和周波数Ｆｃを組み合わせることが好ましいことが示された。
【産業上の利用可能性】
【０１５７】
本技術にかかる細胞判別方法によれば、細胞を染色剤などの試薬で処理することなく、細胞の分類が可能となるため、細胞への試薬の影響を低減することができる。このため、自己の細胞を培養して、特定の種類の細胞のみを再び体内に戻す治療方法や、培養細胞から目的の細胞へ分化したものを選別して利用する再生医療において、本技術に係る細胞判別方法は用いられ得る。
【符号の説明】
【０１５８】
Ａ１，Ａ２，Ａ３：細胞判別装置、Ｂ：細胞分析装置、Ｃ，Ｃ１，Ｃ２：細胞、Ｄ：細胞判別システム、１：前処理部、２：測定部、２１：流路、２２：カバー層、２３ａ，２３ｂ：流路層、２４：中間層、２５ａ，２５ｂ：電極、２６：狭窄部、３：検出部、４１：解析部、４２：分類部、４１１：演算部、４１２：判定部、５：分取部、５１：電場印加部、５１１ａ，５１１ｂ：電極、５１２：流路、５２，５２ａ，５２ｂ：分岐流路
【図１】
2014038298.tif 000024
【図２】
2014038298.tif 000025
【図３】
2014038298.tif 000026
【図４】
2014038298.tif 000027
【図５】
2014038298.tif 000028
【図６】
2014038298.tif 000029
【図７】
2014038298.tif 000030
【図８】
2014038298.tif 000031
【図９】
2014038298.tif 000032
【図１０】
2014038298.tif 000033
【図１１】
2014038298.tif 000034
【図１２】
2014038298.tif 000035
【図１３】
2014038298.tif 000036
【図１４】
2014038298.tif 000037
【図１５】
2014038298.tif 000038
【図１６】
2014038298.tif 000039
【図１７】
2014038298.tif 000040
【図１８】
2014038298.tif 000041
【図１９】
2014038298.tif 000042
【図２０】
2014038298.tif 000043
【図２１】
2014038298.tif 000044
【図２２】
2014038298.tif 000045
【国際調査報告】
2014038298.tif 000046
2014038298.tif 000047
2014038298.tif 000048
2014038298.tif 000049